(57)【要約】      （修正有）【課題】洗濯物干し具において、組み立て簡単で製造コストが低く、それ自体が容易に落下することがなく、干し場スペースに柔軟に適切し、さらに洗濯物を目隠しできるようにすること。【解決手段】フック部１ａと一体に略平鍬先形状を有する鴨居掛け１ｂを形成し操作部９のレバー９ａを引くことで挟持部２が開くことによって鴨居に掛ける場合に挟持部バネ２ｇの押圧によって当該鴨居を下方から挟持する。碗部４の各窓４ａからパラソル状に形成する棹部が第１棹部７の先に第２棹部８を形成し第２棹部８が第１棹部７の筒内から自在に伸びる構造をなし第１棹部７の根元と先端及び第２棹部の先端にそれぞれ２個のピンチを設ける。【選択図】図１
2006000595.tif 000002
【特許請求の範囲】
【請求項１】
物干棹または洗濯紐（以下「物干棹等」という）に懸垂する懸垂体の上部にフック部を有し当該懸垂体の下部にはフック部と一体をなす挟持部を操作するための操作部を形成し操作部の上位置に物干ハンガーを有する洗濯物干し具においてフック部の開口側にフック部の延長としてフック部と一体に略平鍬先形状を有する鴨居掛けを形成し操作部のレバーを引くことで挟持部が開くことによって物干棹等に掛けることができるフック部構造において鴨居に掛ける場合に当該洗濯物干し具が鴨居から外れて落下することを防止するために挟持部の先端部に鴨居挟持部を形成して操作部のレバーを引くことで鴨居に掛け挟持部バネの押圧によって当該鴨居を下方から挟みつけ挟持することを特長とするフック部鴨居掛け機構を有する洗濯物干し具。
【請求項２】
物干棹等に懸垂する懸垂体の上部にフック部を有し当該懸垂体の下部にはフック部と一体をなす挟持部を操作するための操作部を形成し操作部の上位置に物干ハンガーを有する洗濯物干し具において懸垂体吊杆を略筒状に形成し吊杆尻外側方向に吊杆鉤を形成し操作部グリップに嵌挿してグリップ部内壁に形成した吊杆掛りに係止する構造にすることで懸垂体吊杆を筒状に容易に成型できることを特徴とする吊杆尻係止機構を設けている洗濯物干し具。
【請求項３】
物干棹等に懸垂する懸垂体の上部にフック部を有し当該懸垂体の下部にはフック部と一体をなす挟持部を操作するための操作部を形成し操作部の上位置に物干ハンガーを有する洗濯物干し具において当該物干ハンガーが略円形器状の碗部と一体をなす中心を鉛直方向に設けられた円筒形の吊杆嵌挿穴を懸垂体吊杆が嵌挿し吊杆下部において回転自在に設けられた当該碗部にはパラソル状に形成する棹部の数に対応する窓が設けられるとともに碗部の吊杆嵌挿穴を形成する円筒部から当該窓に向かって伸びる嘴部を窓の数に対応して配置し当該嘴部を形成する上嘴と下嘴に挟まれた棹軸受が各窓から挿入する棹基部の棹軸を術える作用構造をなして棹基部が窓の上部と下部との突っ支い棒作用との相互作用により容易に外れることがないことを特徴とする碗部への棹取付け機構を設けている洗濯物干し具。
【請求項４】
物干棹等に懸垂する懸垂体の上部にフック部を有し当該懸垂体の下部にはフック部と一体をなす挟持部を操作するための操作部を形成し操作部の上位置に物干ハンガーを有する洗濯物干し具において碗部の各窓からパラソル状に形成する棹部が棹基部と一体をなす第１棹部の先に第２棹部を形成し第２棹部が第１棹部の筒内から自在に伸びる構造をなし第１棹部の根元と先端及び第２棹部の先端にそれぞれ２個のピンチが設けられていることを特徴とする洗濯物干し具。
【発明の詳細な説明】
【技術分野】
【０００１】  本発明は、物干棹等に懸垂する懸垂体の上部にフック部を有し当該懸垂体の下部にはフック部と一体をなす挟持部を操作するための操作部を形成し操作部の上位置に物干ハンガーを有する洗濯物干し具に関するものである。
【背景技術】
【０００２】  第１は洗濯物干し具の物干棹フック部構造においてフック部と鴨居掛け部を別構造にするのが一般的であるが当該鴨居掛けは単なる引っ掛け構造であるので室内の鴨居に掛けているときに洗濯物干し具に体が触れると落下する欠点がある。【０００３】  第２は洗濯物干し具の懸垂体下部のレバー操作で連結ワイヤーを通してフック部の開閉を行う方法として実開昭５３−８０６３３及び特開２００３−２９０５９６が開示されているが当該連結ワイヤーを通す懸垂体吊杆に操作部を係止する構造は吊杆鉤が槍状を形成し操作部側の吊杆掛りはカエシで抜けない構造になっているのが一般的でありフック部と吊杆を一体成型するのが一般的であるがこの場合にフック部の位置及び形状が支障になって吊杆を筒状に成型するのが難しいために吊杆の断面を略Ｕ字形に成型して側面を開放し補強板を多数設けることで吊杆の強度を補っているのであるが連結ワイヤーが補強板の溝を通る構造のために洗濯物干し具の組み立てに手間が掛る。【０００４】  第３はパラソル形状をなす洗濯物干し具の棹部取り付け方法として実開昭５３−８０６３３が開示されているが略手順において碗部の窓から棹部を放射状に装着してから懸垂体を碗部に嵌挿し操作部を装着する方法が一般的であるが狭い作業スペースで簡単に組み立るためには棹部を最終に当該窓から挿入し碗部に装着して完成させる構造が望まれるためにこの解決方法として特開２００３−２９０５９６が開示されているが製造コストを低く抑えるためには従来の技術より簡単な構造が要求される。【０００５】  第４はパラソル形状をなす洗濯物干し具の棹部の構造は棹の長さが一定のものを碗部の窓から放射状に出すのが一般的であるが狭いスペースで洗濯物を干す場合には棹の長さを短く調節することが必要でまた広いスペースで幅広の洗濯物を干す場合には棹の長さを長く伸ばして使用したいという要望があるので２重構造の棹部とピンチがあれば便利でありさらに女性が下着を干す場合には洗濯物を目隠ししたいという要望があるので目隠しの布を洗濯物の外側に吊るすためにも２重構造の棹部とピンチがあれば便利である。
【発明の開示】
【発明が解決しようとする課題】
【０００６】  解決しようとする問題点の第１は洗濯物干し具の物干棹フック部構造において従来の技術の鴨居掛け機構は単なる引っ掛け構造であるので室内の鴨居に掛けているときに洗濯物干し具に体が触れると落下する欠点がある。【０００７】解決しようとする問題点の第２は懸垂体吊杆を操作部に係止する従来の技術は吊杆鉤が槍状を形成し操作部側の吊杆掛りはカエシで抜けない構造になっているのが一般的でありフック部と吊杆を一体成型するのが一般的であるために吊杆を筒状に成型するのが難しく吊杆の断面を略Ｕ字形にして側面を開放し補強板を多数設けることで補っているのであるが連結ワイヤーが補強板の溝を通る構造のために洗濯物干し具の組み立てに手間が掛る欠点がある。【０００８】解決しようとする問題点の第３はパラソル形状をなす洗濯物干し具の棹部取り付け方法として実開昭５３−８０６３３が開示されているが略手順において碗部の窓から棹部を放射状に装着してから懸垂体を嵌挿し操作部を装着する方法が一般的であり狭い作業スペースで簡単に組み立るためには棹部を最終に挿入して完成させる構造が望まれるのであるが特開２００３−２９０５９６が開示されているが製造コストを低く抑えるためにはより簡単な構造が要求される。【０００９】解決しようとする問題点の第４は棹部の構造は棹の長さが一定のものを碗部の窓から放射状に出すのが一般的であるが狭いスペースで洗濯物を干す場合には棹の長さを短く調節することが必要で広いスペースで幅広の洗濯物を干す場合には棹の長さを長く伸ばして使用したいという要望がありさらには女性が下着を干す場合には目隠しの布を外側に吊るすためには２重構造の棹部とピンチがあれば便利である。
【課題を解決するための手段】
【００１０】  第１の課題を解決するための手段は物干棹等に懸垂する懸垂体の上部にフック部を有し当該懸垂体の下部にはフック部と一体をなす挟持部を操作するための操作部を形成し操作部の上位置に物干ハンガーを有する洗濯物干し具においてフック部の開口側にフック部の延長としてフック部と一体に略平鍬先形状を有する鴨居掛けを形成し操作部のレバーを引くことで挟持部が開くことによって物干棹に掛けることができるフック部構造において鴨居に掛ける場合に当該洗濯物干し具が鴨居から外れて落下することを防止するために挟持部の先端部に鴨居挟持部を形成して操作部のレバーを引くことで鴨居に掛け挟持部バネの押圧によって当該鴨居を下方から挟みつけ挟持すること解決する。【００１１】  第２の課題を解決するための手段は物干棹等に懸垂する懸垂体の上部にフック部を有し当該懸垂体の下部にはフック部と一体をなす挟持部を操作するための操作部を形成し操作部の上位置に物干ハンガーを有する洗濯物干し具において懸垂体吊杆を筒状に形成し吊杆尻外側方向に吊杆鉤を形成し操作部グリップに嵌挿してグリップ部内壁に形成した吊杆掛りに係止する構造にすることで懸垂体吊杆を筒状に容易に成型できることで解決する。【００１２】  第３の課題を解決するための手段は物干棹等に懸垂する懸垂体の上部にフック部を有し当該懸垂体の下部にはフック部と一体をなす挟持部を操作するための操作部を形成し操作部の上位置に物干ハンガーを有する洗濯物干し具において物干ハンガーが略円形器状の碗部と一体をなす中心を鉛直方向に設けられた円筒形の吊杆嵌挿穴を懸垂体吊杆が嵌挿し吊杆下部において回転自在に設けられた当該碗部にはパラソル状に形成する杆部の数に対応する窓が設けられるとともに碗部の吊杆嵌挿穴を形成する円筒部から当該窓に向かって伸びる嘴部を窓の数に対応して配置し当該嘴部を形成する上嘴と下嘴に挟まれた棹軸受が各窓から挿入する棹基部の棹軸を銜える作用構造をなして棹基部が窓の上部と下部との突っ支い棒作用との相互作用により容易に外れることがない碗部への棹取付け機構を設けることで解決する。【００１３】  第４の課題を解決するための手段は物干棹等に懸垂する懸垂体の上部にフック部を有し当該懸垂体の下部にはフック部と一体をなす挟持部を操作するための操作部を形成し操作部の上部に物干ハンガーを有する洗濯物干し具において碗部の各窓からパラソル状に形成する棹部が第１棹部の先に第２棹部を形成し第２棹部が第１棹部の筒内から自在に伸びる構造をなし第１棹部の根元と先端及び第２棹部の先端にそれぞれ２個のピンチを設ける機構にすることで解決する。
【発明の効果】
【００１４】  第１の発明の効果はフック部の開口側にフック部と一体をなす略平鍬先形状を有する鴨居掛け機構として鴨居挟持部で鴨居を挟みつけて挟持することで当該洗濯物干し具の落下を防止できる効果がある。【００１５】  第２の発明の効果は懸垂体吊杆尻を略筒状に成型できることから吊杆尻の延長として懸垂体吊杆を筒状に簡単に成型可能になることで吊杆内部の補強板が不要で吊杆内部に連結ワイヤーが簡単に通るようになる効果がある。【００１６】  第３の発明の効果は碗部への棹取付け機構として碗部に嘴部を設けて碗部窓から挿入した棹基部の棹軸を銜える構造にすることで棹取付け機構を簡単な構造にできる効果がある。【００１７】  第４の発明の効果は碗部の各窓から棹基部の先にパラソル状に形成する棹部を第１棹部と第２棹部に分けてそれぞれにピンチを設けて第２棹部が伸縮自在になることで干し場スペースへの柔軟な適応と女性にもやさしい洗濯物干し具として簡単に目隠し適応できる効果がある。
【発明を実施するための最良の形態】
【００１８】  本発明は、懸垂型洗濯物干し具として安心のフック部鴨居掛け機構、洗濯物干し具製造の合理化を実現した懸垂体吊杆尻係止機構及び碗部棹取付け機構、洗濯物干し場スペースへの柔軟な適応と女性にも優しい洗濯物干し具の提供を実現した棹部構造を実現した。
【実施例１】
【００１９】  図１４は本発明１実施例の斜視図で図１は同実施例の縦中心線での断面図である。【００２０】  本発明は略懸垂体１、挟持部２、連結ワイヤー３、碗部４、嘴部５、棹基部６、第１棹部７、第２棹部８、操作部９にて構成する。【００２１】  図３は請求項１に係る懸垂体１フック部分の斜視図で図２はＢ−Ｂ切断線での断面図で図６はＣ−Ｃ切断線での断面図であって物干棹１０へ掛けるフック部１ａ、フック部１ａと一体をなす略平鍬先形状を有する鴨居掛け１ｂ、挟持部２で略構成されて後述する操作部９が連結ワイヤー３を引く操作で挟持部２がバネ２ｇの力を得て開閉することになり物干棹１０、洗濯紐掛け１ｃ及び鴨居を挟持する。【００２２】  図４は請求項２に係る懸垂体吊杆尻斜視図で懸垂体１と一体をなす吊杆１ｄは略同一切り口の略筒状に成型し吊杆尻に吊杆鉤１ｇが外向きの鉤を形成して後述する碗部４を嵌挿し、図１３に示す操作部斜視図のグリップ嵌挿筒部を嵌挿して図１１操作部Ｂ−Ｂ断面図、図５懸垂体吊杆尻止機構斜視（Ｂ−Ｂ断面）図に示す吊杆掛り９ｇへ吊杆鉤１ｇが掛ることで係止する。図１２は操作部Ｄ−Ｄ断面図である。【００２３】  図９は請求項３に係る碗部４と嘴部５及び棹基部６で略構成する嘴部棹止め機構Ｂ−Ｂ断面図で、図１０は嘴部棹止め機構Ａ−Ａ断面図である。略円形器状の碗部４と一体をなす中心を鉛直方向に設けられた円筒形の吊杆嵌挿穴４ｂを懸垂体吊杆１ｄが嵌挿し吊杆下部において回転自在に設けられた当該碗部４には図１４に示すパラソル状に形成する棹部棹基部６の数に対応する窓４ａが設けられるとともに図８に示す碗部４の吊杆嵌挿穴４ｂを形成する円筒部から当該窓４ａに向かって放射状に伸びる嘴部５を窓４ａの数に対応して配置し当該嘴部５を形成する上嘴５ａと下嘴５ｂに挟まれた棹軸受５ｃが各窓４ａから挿入する棹基部６の棹軸６ｂを銜える作用構造をなして棹基部６が窓４の上部と下部との突っ支い棒作用との相互作用により容易に外れることがない碗部４への棹取付け機構を設ける。【００２４】  図７は請求項４に係る碗部・棹部Ｂ−Ｂ断面図で、図８は碗部・棹部Ａ−Ａ断面図である。碗部４の各窓４ａからパランル状に形成する棹部が第１棹部７の先に第２棹部８を形成し第２棹部が第１棹部の筒内から自在に伸びる構造をなし第１棹部７の根元に２個のピンチ７ｂ、ピンチ７ｃと同先端に２個のピンチ７ｄ、ピンチ７ｅ及び第２棹部の先端に２個のピンチ８ｂ、ピンチ８ｃを設ける。
【図面の簡単な説明】
【００２５】
【図１】  本発明Ｂ−Ｂ断面図（縦中心線断面図）
【図２】  懸垂体フック部分Ｂ−Ｂ断面図
【図３】  懸垂体フック部分斜視図
【図４】  懸垂体吊杆尻斜視図
【図５】  懸垂体吊杆尻止機構斜視（Ｂ−Ｂ断面）図
【図６】  物干棹挟持部Ｃ−Ｃ断面図
【図７】  碗部・棹部Ｂ−Ｂ断面図
【図８】  碗部・棹部Ａ−Ａ断面図
【図９】  嘴部棹止め機構Ｂ−Ｂ断面図
【図１０】  嘴部棹止め機構Ａ−Ａ断面図
【図１１】  操作部Ｂ−Ｂ断面図
【図１２】  操作部Ｄ−Ｄ断面図
【図１３】  操作部斜視図
【図１４】  本発明斜視図
【符号の説明】
【００２６】  １    懸垂体
１ａ  フック部
１ｂ  鴨居掛け
１ｃ  洗濯紐掛け
１ｄ  吊杆
１ｅ  吊杆円盤部
１ｆ  吊杆嵌挿筒部
１ｇ  吊杆鉤
１ｈ  吊杆側レバー挿入穴
１ｉ  吊杆側レバー挿入穴
２    挟持部
２ａ  鴨居挟持部
２ｂ  棹挟持部
２ｃ  懸止板
２ｄ  懸止棒
２ｅ  挟持軸
２ｆ  挟持腕部
２ｇ  バネ
３    連結ワイヤー
４    碗部
４ａ  窓
４ｂ  吊杆嵌挿穴
４ｃ  碗蓋
５    嘴部
５ａ  上嘴
５ｂ  下嘴
５ｃ  棹軸受
2006000595.tif 000003
９    操作部
９ａ  レバー
９ｂ  レバー基部
９ｃ  レバー梃子
９ｄ  梃子懸穴
９ｅ  レバー軸受
９ｆ  グリップ
９ｇ  吊杆掛り
９ｈ  グリップ支柱板
９ｉ  グリップ軸
９ｊ  グリップ円盤部
９ｋ  グリップ嵌挿筒部
９ｌ  グリップ側レバー挿入穴
９ｍ  グリップ側レバー挿入穴
１０    物干棹
【図１】
2006000595.tif 000004
【図２】
2006000595.tif 000005
【図３】
2006000595.tif 000006
【図４】
2006000595.tif 000007
【図５】
2006000595.tif 000008
【図６】
2006000595.tif 000009
【図７】
2006000595.tif 000010
【図８】
2006000595.tif 000011
【図９】
2006000595.tif 000012
【図１０】
2006000595.tif 000013
【図１１】
2006000595.tif 000014
【図１２】
2006000595.tif 000015
【図１３】
2006000595.tif 000016
【図１４】
2006000595.tif 000017